(57)【要約】      （修正有）【課題】アンテナ内蔵型の携帯電話機にも装着可能な着信報知機能装置を提供する。【解決手段】携帯電話機のジャックに着脱自在に装着可能な連結部３と、連結部に設けられ、携帯電話機が着信した際に携帯電話機内部で発生した着信信号を装置ケース部内部に伝達可能な電気伝導部９と、電気伝導部に接続され、前記電気信号の入力により制御信号を出力する制御部６と、制御部に対して制御信号の種類を切替えさせる切替部７とを備える。また、装置ケース部内に設置されると共に、前記制御部に接続され、制御信号により発光が可能な複数の発光部８を備え、前記発光部による発光からなる発光パターンと、装置ケース部の外形とを合わせ具備することによって漫画キャラクター等が表示されるようにして携帯電話機用着信報知装置１を構成する。【選択図】図２
0003173320.tif 000002
【実用新案登録請求の範囲】
【請求項１】
携帯電話機のジャックに取付ける携帯電話機用着信報知装置であって、
前記ジャック内に、先端から挿入することによって着脱自在に装着可能な連結部と、
当該連結部の基端部と結合されてなる装置ケース部と、
連結部に設けられ、携帯電話機が着信した際に携帯電話機内部で発生した着信信号を装置ケース部内部に伝達可能な電気伝導部と、
電気伝導部に接続され、前記電気信号の入力により制御信号を出力する制御部と、
制御部に対して制御信号の種類を切替えさせる切替部と、
装置ケース部内に設置されると共に、前記制御部に接続され、制御信号により発光が可能な複数の発光部とからなり、
前記発光部による発光からなる発光パターンと、装置ケース部の外形とを合わせ具備することによって漫画キャラクター、人形、乗物、建物、道具、野菜、果物、若しくは動物が表される
ことを特徴とする携帯電話機用着信報知装置。
【考案の詳細な説明】
【技術分野】
【０００１】
本願考案は、携帯電話機のジャックに取付けて使用される携帯電話機用着信報知装置に関する。
【背景技術】
【０００２】
従来の携帯電話機は電波をより感度良く受信するため、携帯電話機本体から突出した構造の外部アンテナを備えており、当該外部アンテナに発光機能を備えさせることによって、着信時の報知機能を付加する発明があった。
【先行技術文献】
【特許文献】
【０００３】
【特許文献１】特開平１０−３３５９１４
【考案の概要】
【考案が解決しようとする課題】
【０００４】
しかし、近年普及している携帯電話機はアンテナを携帯電話機本体の内部に内蔵した内臓アンテナを備えたものが主流となり、上述のようにアンテナに発光機能及び報知機能を具備させることが困難となっていた。
【０００５】
本願考案は、アンテナ内蔵型の携帯電話機にも装着可能な着信報知機能装置を提供することを目的とする。
【課題を解決するための手段】
【０００６】
そこで、上記課題を解決するための手段として本願実用新案に係る携帯電話機用着信報知装置は、携帯電話機のジャックに取付ける携帯電話機用着信報知装置であって、前記ジャック内に、先端から挿入することによって着脱自在に装着可能な連結部と、当該連結部の基端部と結合されてなる装置ケース部と、連結部に設けられ、携帯電話機が着信した際に携帯電話機内部で発生した着信信号を装置ケース部内部に伝達可能な電気伝導部と、電気伝導部に接続され、前記電気信号の入力により制御信号を出力する制御部と、制御部に対して制御信号の種類を切替えさせる切替部と、装置ケース部内に設置されると共に、前記制御部に接続され、制御信号により発光が可能な複数の発光部とからなり、前記発光部による発光からなる発光パターンと、装置ケース部の外形とを合わせ具備することによって漫画キャラクター、人形、乗物、建物、道具、野菜、果物、若しくは動物が表されることを特徴とする。
【０００７】
携帯電話機のジャックは、携帯電話機が着信した際に携帯電話機内部で発生させた着信信号を、当該ジャックを介して外部装置に伝達可能な外部端子であり、外部装置を接続可能とするために携帯電話機の外表面に挿し込み口が形成されたものである。また当該ジャックは、着信の待ち受け中には他の目的で使用されることが少ないことが望ましいため、主として携帯電話機を充電する際に充電器との接続に使用される外部端子であることが好ましい。
【０００８】
切替部は、制御部が予め記憶している複数の発光パターンのうちの一つを、電気信号を用いて選択することができる部分であり、スライド式切替スイッチ、若しくは押釦型の切替えスイッチ等の物理的な駆動部を備えているものであることが好ましい。また切替部は、切替部の先端部分が装置ケース部から外方に突出して設置されていることにより、前記駆動部を装置ケース部の外部から直接操作できるように構成されていることが好ましい。このように構成されていることにより、外部から切替部の先端部分を指等で操作することによって、制御部に対して電気信号による切替信号を送信することができ、容易に発光部の発光パターンの種類を変更することができる。
【０００９】
装置ケース部は、樹脂板、若しくはガラス板を用いて制御部及び発光部を収納するための空間を囲む構造に形成されていることが好ましい。また、装置ケース部のうち、発光部が形成する発光パターンを表示する部分については、透明若しくは半透明な材料によって構成されていることが好ましい。
【００１０】
また、前記発光パターンを表示する部分が透明な材料で構成されると共にその透明な材料の外表面に塗料が薄く塗布されて塗膜が形成されてなるものとしても好ましい。透明な材料の外表面を塗装することによって、装置ケース部内部の電気回路構造を隠すことができると共に、携帯電話機の着信時には発光部が形成する発光パターンのみを前記塗膜を通して使用者に視認させることができる。また、光は塗膜を透過する際に散乱するため、発光パターンの輪郭にぼかし効果を与えることができ、発光部の発光が直接目に入ることがなく、不快なまぶしさを軽減することができる。
【００１１】
塗膜を構成する塗料には、白や暖色等の明るい色を有するものが好ましいが、発光部からの光が塗膜を透過できれば特に塗料の色が制限されることはない。
【００１２】
着信信号は、電話の着信時に発生してもよいし、電子メールの着信時に発生してもよい。
【００１３】
発光部は、ＬＥＤ（Ｌｉｇｈｔ  Ｅｍｉｔｔｉｎｇ  Ｄｉｏｄｅ）であることが好ましい。本体部材内の空間が狭い場合にも、発光パターンに沿って複数のＬＥＤを並べて配列させることも容易だからである。
【００１４】
発光パターンは、装置ケース部の表面にキャラクターの顔等の特定の形状を形成することによって使用者に着信を報知するものであることが好ましい。
【考案の効果】
【００１５】
本願考案によれば、携帯電話機のジャックに外部から装着可能であり、携帯電話機に着信があると、複数の発光部が発光し、装置本体ケース部の外形と合わせて漫画キャラクター、人形、乗物、建物、道具、野菜、果物、若しくは動物が表されることにより、使用者の注意を喚起して着信を報知することができる。
【図面の簡単な説明】
【００１６】
【図１】着信報知装置１の概略を示す斜視図である。
【図２】着信報知装置１の内部構造の概略を示すＡ−Ａ断面図である。
【図３】着信報知装置１の内部構造の概略を示すＢ−Ｂ端面図である。連結部３、制御部６、及び発光部８の内部構造については省略して示している。
【図４】制御部６及び発光部８のブロック図である。
【考案を実施するための形態】
【００１７】
以下、本願考案に係る実施の形態を、図を参照しながら詳しく説明する。
【００１８】
図１は本考案の一実施例を示す着信報知装置１の概略を示す斜視図である。
【００１９】
着信報知装置１の装置ケース部２の外形は、猫のキャラクターの顔部分を模して立体的に形成されている。また、着信報知装置１には携帯電話機のジャックに着脱自在に装着可能な連結部３が形成されており、連結部３はその基端部４において装置ケース部２の上端部５と結合して形成されている。一方、装置ケース部２の内部には、図２に示すように制御部６と、制御部６と電気的に接続された切替部７と、制御部６と電気的に接続されて制御部６からの制御信号を受けて発光する複数の発光部８が配置されている。
【００２０】
連結部３には、薄板状の金属板からなる電気伝導部９が設けられており、連結部３を携帯電話機のジャックに挿入することによって、着信報知装置１と携帯電話機とを装着すると同時に電気的に接続させることができる。また、電気伝導部９は制御部６とも電気的に接続されている。
【００２１】
ここで、本実施形態において切替部７は押釦型の切替えスイッチであり、切替部７の先端部分が装置ケース部２の側壁１１から外方に突出して設置されている。これにより、外部から切替部７の先端部分を指等で押し込むことによって、制御部６に対して切替信号を送信することができ、容易に発光部８の発光パターンＰの種類を変更することができる。
【００２２】
装置ケース部２は、制御部６及び発光部８等を収納するための空間を囲むように裏面板１０、側壁１１、及び表示板１２によって構成されており、裏面板１０には制御部６及び発光部８等が固定されている。また、側壁１１の一部には貫通孔１３が設けられており、当該貫通孔１３から切替部７の先端部分が外方に突出している。
【００２３】
装置ケース部２は、樹脂板を用いて成形されており、特に表示板１２は、例えばアクリル樹脂などの透明の樹脂板１４を用いて形成されている。さらに、本実施形態における装置ケース部２を構成する樹脂板の外表面には、図３に示すように塗料が薄く塗布されて塗膜１５が形成されている。透明な樹脂の外表面を塗装することによって、装置ケース部２内部の電気回路構造を隠すことができると共に、携帯電話機の着信時には発光部８が装置ケース部２表面に形成するキャラクターの顔等の特定の形状を構成する発光パターンＰのみを前記塗膜１５を通して視認させることができる。また、光は塗膜１５を透過する際に散乱するため、発光パターンＰの輪郭にぼかし効果を与えることができ、発光部８の発光が直接目に入ることがなく、不快なまぶしさを軽減することができる。
【００２４】
塗膜１５の色は、本実施形態においては白色を用いたが、発光部８からの光が透過できれば特に制限されることはない。
【００２５】
なお、複数の発光部８はそれぞれＬＥＤによって構成されており、それぞれのＬＥＤから放射される光の色は同一色でもよいが、多種類の色を用いて発光パターンＰに色彩や変化を与えるように構成しても好ましい。
【００２６】
発光部８は、装置ケース部２の内部に収納された制御部６と接続されており、制御部６から出力される制御信号によって、発光することが可能である。制御部６は、図４に示すように、発光部８の発光パターンＰに対応した制御信号を送信する信号送信部１６と、あらかじめ多種の発光パターンを記憶している記憶部１７と、切替部７による切替信号を受けて制御部６が出力する発光パターンＰに対応する制御信号を選択する選択部１８とを備えて構成されている。制御部６は、連結部３を介して携帯電話機から電力の供給を受けて動作することができ、その制御機能は、ＩＣやメモリチップ等の組み合わせによって実現される。
【００２７】
携帯電話機は、内部アンテナ（図示せず。）によって受信した着信信号を携帯電話機の内部で電気信号に変換し、ジャック及び連結部３の電気伝導部９を介して制御部６に伝達する。携帯電話機から着信信号を受信した制御部６は、予め定められた発光パターンＰに対応する制御信号を信号送信部１６から発光部８に送信し、制御信号を受けた発光部８が発光する。使用者が切替部７を形成する押釦を押すと選択部１８によって先の発光パターンＰとは異なる発光パターンが記憶部１７において選択される。続いて、対応する発光パターンに対応する制御信号が信号送信部１６から発光部８に送信されて、当該制御信号を受けた発光部８が発光する。
【００２８】
発光部８は、発光することによって発光パターンＰを形成し、装置ケース部２の表面にキャラクターの顔等の特定の形状を形成することによって使用者に着信を報知する。
【００２９】
本実施形態において、発光部８は装置ケース部２の内部に猫のキャラクターの顔を構成する目、鼻、口の形状を形成するように配置されている。したがって、制御信号を受けることによって発光部８から発せられた光によって、装置ケース部２の外形と合わせて猫のキャラクターの顔が構成される。
【符号の説明】
【００３０】
１    着信報知装知
２    装知ケース部
３    連結部
６    制御部
７    切替部
８    発光部
１２  表示板
Ｐ    発光パターン
【図１】
0003173320.tif 000003
【図２】
0003173320.tif 000004
【図３】
0003173320.tif 000005
【図４】
0003173320.tif 000006